(57)【要約】      （修正有）【課題】端始末不要の生地で形成して、脚ぐりにストレッチレース等の縁取り材を取り付けずに、脚ぐりを肌に密着させ、着用時に安定感を与えるショーツを提供する。【解決手段】端始末不要の生地からなる本体布とクロッチ布とからなり、前記クロッチ布は本体布より難伸縮性として、本体布の股部の内面に溶融接着させて裏打ちしており、前記クロッチ布の背面側の幅方向端縁に、前記本体布の背面側の脚ぐり端縁に沿って延在させる左右一対の突出部を設けている一方、正面側の幅方向端縁は前記左右両側端縁を円弧状あるいは直線状に連続させて前記突出部を設けていない。【選択図】図４
0003107714.tif 000002
【実用新案登録請求の範囲】
【請求項１】
端始末不要の生地からなる本体布とクロッチ布とからなり、
前記クロッチ布は本体布より難伸縮性として、本体布の股部の内面に溶融接着させて裏打ちしており、
前記クロッチ布の背面側の幅方向端縁に、前記本体布の背面側の脚ぐり端縁に沿って延在させる左右一対の突出部を設けている一方、正面側の幅方向端縁は前記左右両側端縁を円弧状あるいは直線状に連続させて前記突出部を設けていないことを特徴とするショーツ。
【請求項２】
前記クロッチ布の前記突出部は細幅な帯状として突出させ、背面側中央端面位置を基準として、その突出量は４ｃｍ以上で、該突出部の先端が脇線位置に達する位置以下とし、かつ、突出部幅は平均０．５ｃｍ以上２ｃｍ以下とし、さらに、
前記クロッチ布の前記突出部を含む左右端縁は、前記本体布の左右端縁より２ｍｍ〜５ｍｍ内側に位置させている請求項１に記載のショーツ。
【請求項３】
前記クロッチ布の背面側の幅方向中間端縁から山形状の突出部を設けている請求項１または請求項２に記載のショーツ。
【請求項４】
前記本体布およびクロッチ布は一枚布から形成し、該クロッチ布は綿あるいは綿と合成繊維との混紡布から形成する一方、
前記本体布はテンビ編組織の布からなり、該本体布のウエスト回りおよび前記脚ぐりの端縁は端始末無しとし、正面側と背面側とを脇線位置で接着剤で結合した構成としている請求項１乃至請求項３のいずれか１項に記載のショーツ。
【請求項５】
前記本体布の背面側では、左右の臀部に当たる位置を加熱成形して左右一対の膨出部を設けている請求項１乃至請求項４のいずれか１項に記載のショーツ。
【考案の詳細な説明】
【技術分野】
【０００１】
本考案はショーツに関し、特に、端始末不要の生地で形成しながら、脚ぐりの肌への密着性を高めるものである。
【背景技術】
【０００２】
通常、女性用肌着のショーツは、正面側（前身項側）と背面側（後身項側）と股部（クロッチ部）とからなり、ウエストラインに当たる上端開口および左右脚ぐりに沿った開口の端部は、袋状に折り返してゴム等の伸縮性テープ等を封入したり、ストレッチレース等の縁取り材を取り付ける等の端始末がなされている。また、大半のショーツは、股部内面に別体のクロッチ布を裏打ちしている。
【０００３】
前記クロッチ布は、通常、図７（Ａ）（Ｂ）に示すように、クロッチ布１の正面側の前端１ａ、背面側の後端１ｂは幅方向に略直線状として本体布２と縫着し、かつ、クロッチ布１の左右両側端１ｃ、１ｄは本体布２の股部左右幅両側部２ａ、２ｂと縫着している。かつ、本体布２の脚ぐりに沿って前記ストレッチレース３が縫着されている。
また、実用新案登録第３０７１２５７号に開示された編地からなるショーツでは、図８（Ａ）（Ｂ）（Ｃ）に示すように、クロッチ部１’の前端１ａ’および後端１’は中央部が突出する円弧形状とされている。
【特許文献１】実用新案登録第３０７１２５７号公報
【考案の開示】
【考案が解決しようとする課題】
【０００４】
前記図７および図８に示すように、従来のショーツでは脚ぐりにそって、伸縮性テープからなる縁取り材を取り付ける等の端始末がなされている。このように、ショーツ本体に端始末用の伸縮性テープを取り付けているため、ショーツ本体と比較して厚くなり、薄物のアウターを着用した際に外面に現出して、所謂、“ひびく”問題が発生しやすい。また、伸縮性テープが内股の柔らかい肌と接触して食い込みが発生しやすい問題もある。
さらに、股部の内面にクロッチ布を裏打ちするために本体布と縫着すると、該縫着部が肌に接触して、肌に痒み等を発生させる原因にもなる。
【０００５】
前記脚ぐりに伸縮性テープを取り付けた場合に発生する問題に対しては、生地の裁断端を端始末しなくとも「ほつれ」が発生しない端始末不要の生地を用いると解消することはできる。しかしながら、脚ぐりに沿って伸縮性テープを取り付けない場合には、伸縮性素材からなるショーツを肌に密着させることはできるが、脚ぐりに沿った位置への保持力が弱いため、挙動時には肌に追従して動き、特に、背面側では脚ぐりにズレ上がりが発生しやすくなる。このように、背面側で脚ぐりがズレ上がりやすくなるため、端始末不要の生地を用いると着用時における安定感が劣る問題がある。なお、正面側では股部側に引っ張られるため、背面側で発生しやすい脚ぐりのズレ上がりは発生しない。
【０００６】
本体布の股部内面には、前記したようにクロッチ布を取り付け、該クロッチ布を非伸縮性あるいは伸びの少ない布で形成し、伸縮性素材から形成している本体布の股部のずり下がりを抑制し、かつ、本体布への汚れが直接に付着させないようにしている。
このクロッチ布を前記端始末不要の本体布の股部内面に裏打ちした場合、クロッチ布は前記図７に示すように前後両端を直線状あるいは図８に示すように中央部を円弧状に突出させているため、脚ぐりを肌へ密着させる機能はない。
【０００７】
本考案は前記問題を解決せんとするもので、端始末不要の生地を用いて、外面に“ひびく”問題を解消しながら、脚ぐりに密着させて背面側でのズレ上がりを防止し、着用時に安定感を与えることができるショーツを提供することを課題としている。
【課題を解決するための手段】
【０００８】
前記課題を解決するため、本考案は、端始末不要の生地からなる本体布とクロッチ布とからなり、
前記クロッチ布は本体布より難伸縮性として、本体布の股部分の内面に溶融接着させて裏打ちしており、
前記クロッチ布の背面側の幅方向端縁に、前記本体布の背面側の脚ぐり端縁に沿って延在させる左右一対の突出部を設けている一方、正面側の幅方向端縁は前記左右両側端縁を円弧状あるいは直線状に連続させて前記突出部を設けていないことを特徴とするショーツを提供している。
なお、本考案はショーツに関するものであるが、股部を有する肌着一般に適用することもできる。
【０００９】
前記したように、本考案では、本体布は裁断端にほつれが発生しない端始末不要の生地（所謂フリーカット生地）を用いているため、脚ぐりの開口端にストレッチレース等の縁取り材を取り付ける必要はない。
かつ、本考案では、本体布の股部に裏打ちするクロッチ布も端始末不要で本体布より伸びの少ない（あるいは伸びの無い）難伸縮性生地から形成し、その背面側の左右両端に脚ぐりに沿って延在させる突出部を設けている。該難伸縮性あるいは非伸縮性のクロッチ布の突出部が着用時に臀溝に位置することとなり、挙動時にも伸縮性を有する本体布と比較して前記突出部は肌に追従しにくく、臀溝位置に止まり、よって、着用時における背面側の脚ぐりのズレ上がりを抑制でき、安定した着用感を与えることができる。一方、正面側では、前記した理由よりズレ上がりは発生しにくいため、左右両端に突出部を設けていない。逆に正面側の左右両側に背面側と同様の突出部を設けると、股部が正面側へも引っ張られて股部が肌に食い込み、着用感が悪くなる問題が発生する。
かつ、本考案ではクロッチ布を本体布に溶融接着させて縫着部を無くしているため、縫着部が肌に接触して痒み等を発生させない。
【００１０】
前記クロッチ布の前記突出部は細幅な帯状として突出させ、背面側中央端面位置を基準として、その突出量は４ｃｍ以上で、該突出部の先端が脇線位置に達する位置以下とし、かつ、突出部の幅は平均０．５ｃｍ以上２ｃｍ以下、より好ましくは０．８ｃｍ以上１．２ｃｍ以下である。
前記した背面側の左右突出部の大きさは本考案者が実験により知見して得た数値であり、前記した長さおよび幅とすることで、背面側の脚ぐりを肌に密着させてズレ上がりを発生させない効果が得られる。なお、前記突出部の長さ及び幅を前記数値範囲よりも大きくすると、ショーツが本質的に必要とする伸縮性の機能が損なわれることとなる。
【００１１】
また、該クロッチ布の厚さは１ｍｍ以下とし、クロッチ布の端縁と本体布との間に発生する段差を極めて小さくして、クロッチ布端縁が外面に現出しないようにしている。
さらに、前記クロッチ布の前記突出部を含む左右端縁は、前記本体布の左右端縁より２ｍｍ〜５ｍｍ内側、よりこのましくは３ｍｍ前後に位置させていることが好ましい。即ち、クロッチ布の端縁と本体布との端縁とを位置ずれされていることで、ショーツの脚回り端縁を薄くして、肌当たりを柔らかくしている。
【００１２】
なお、前記クロッチ布の背面側の幅方向中間端縁から山形状の突出部を設けてもよい。この場合、クロッチ布の背面側先端の左右両側端と中央部の三箇所から突出部を延在させている構成となる。
前記山形状の突出部の先端は、丁度左右の臀部の間の臀裂の下方位置に位置され、ショーツを背面側全体に密着させることができる。特に、本体布の背面側において、左右の臀部に当たる位置に膨出部を加熱成形して設けた場合には、背面全体を身体形状に沿った形状とできるため、美しいシルエットを現出させることができる。
【００１３】
前記本体布およびクロッチ布は一枚布から形成し、該クロッチ布は綿あるいは綿と合成繊維との混紡布から形成する一方、
前記本体布はテンビ編組織の布からなり、該本体布のウエスト回りおよび前記脚ぐりの端縁は端始末無しとし、正面側と背面側とを脇線位置で接着剤で結合した構成としていることが好ましい。
【００１４】
具体的には、正面側と背面側とを股部を介して連続させた形状でフリーカット布を裁断して、本体布を一枚布で設け、この本体布の股部内面に前記クロッチ布を加熱溶着して一体化させておき、その後、股部を中心として折り返し、正面側と背面側とを脇線位置で接着剤で結合してショーツを製造している。
このように、所要の機能を備えたショーツを、極めて簡単に設けることができる。
【考案の効果】
【００１５】
前記したように、本考案のショーツでは、端始末不要の脚ぐりとしながら、該脚ぐりを肌に密着させる機能をクロッチ布で付与していることにより、背面側で脚ぐりのずれ上がりを発生させず、安定した着用感を与えることができる。
【考案を実施するための最良の形態】
【００１６】
以下、本考案のショーツを図面を参照して詳述する。
図１乃至図３は第１実施形態のショーツ１０を示す。
図１の斜視図に示すショーツ１０は、図２に示す一枚布の本体布１１と、該本体布１１の正面側部１２と背面側部１３とを連続する股部１４の内面側に溶融接着させた一枚布からなるクロッチ布１５とより形成している。
即ち、図２の示す展開状態から、股部１４を下端として背面側部１３を折り返して正面側部１２に重ね、背面側部１３の左右脇端１３ａ、１３ｂと正面側部１２の左右脇端１２ａと１２ｂとを重ね合わせ、接着剤（図示せず）で結合している。
【００１７】
前記本体布１１およびクロッチ布１５とも端始末不要の生地（フリーカット生地）から裁断しており、本体布１１は比較的伸びのよい伸縮性素材を用い、本実施形態ではテンビ編組織の布を用いている。クロッチ布１５は本体布１１より伸びの少ない難伸縮性あるいは非伸縮性素材の綿あるいは綿と合成繊維の混合布を用いている。
【００１８】
前記のように本体布１１は端始末不要の生地から形成しているため、左右の脚ぐりに沿った開口端縁１７とウエスト回りの上端開口端縁１８は裁断端のままとし、縁取り材は取り付けていない。
【００１９】
前記クロッチ布１５は図２に示すように、本体布１１の股部１４の外形に沿った形状とし、長さ方向の中央部を最小幅とし、背面側の幅方向端縁１５Ｌ−１と正面側の幅方向端縁１５Ｌ−２に向けて拡大させた形状としている。
前記背面側の幅方向端縁１５Ｌ−１の左右両側には、本体布１１の背面側部１３の脚ぐり端縁１３ｃ、１３ｄに沿って延在させる左右一対の突出部１５ａ、１５ｂを互いに離反する方向に傾斜させて設けている。これら突出部１５ａと１５ｂ挟まれた中間部は直線部１５ｃとしている。一方、正面側の幅方向端縁１５Ｌ−２は直線部１５ｄとしている。
なお、本実施形態では、クロッチ布１５の前記最小幅の寸法は６．５ｃｍ±０．５ｃｍとしている。
【００２０】
クロッチ布１５の突出部１５ａ、１５ｂは略細幅な帯状として突出させ、前記端縁１５Ｌ−１を基準線とすると、その突出量は４ｃｍ以上で、これら突出部１５ａ、１５ｂの先端１５ａ−１、１５ｂ−１が脇線に達するまでの位置としている。本実施形態では、４．５ｍｍとしている。
また、突出部１５ａ、１５ｂの幅は１．０ｃｍ±０．２ｃｍとしている。
さらに、クロッチ布１５は、突出部１５ａ、１５ｂを含む左右端縁１５Ｌ−３、１５Ｌ−４は、本体布１１の左右端縁より２ｍｍ〜５ｍｍ内側に位置させている。本実施形態では３ｍｍ内側に位置させている。
【００２１】
さらに、本体布１１の背面側１３では、左右の臀部に当たる位置に膨出部１８，１９を本体布１１を加熱成形して設けている。
【００２２】
ショーツ１０は、本体布１１、クロッチ布１５を裁断し、本体布１１の背面側部を加熱成形して膨出部１８、１９を形成した後、クロッチ布１５を本体布１１の股部１４の内面に溶融接着し、その後、折り返して正面側部１２と背面側部１３とを脇線位置で接着剤により固着するだけで形成している。
【００２３】
前記本考案のショーツ１０は、本体布１１およびクロッチ布１５とも端始末不要の素材で形成しているため、脚ぐりに沿ってストレッチレース等の縁取り材を取り付ける必要がない。よって、縁取り材を取り付けた場合に発生しやすいが、縁取り材を無くしているため、脚ぐりに沿ったラインが外面に現出する“ひびき”を発生させない。
しかも、クロッチ布１５の背面側に脚ぐりに沿った突出部を設けて、難伸縮性あるいは非伸縮の突出部を着用時に臀溝に沿わせているため、背面側での脚ぐりのズレ上がり発生を抑制し、安定した着用感を与えることができる。
【００２４】
かつ、ショーツを形成するための縫着工程を一切なくしているため、非常に簡単に製造でき、かつ、縫着部がないため、伸縮性の良い薄物素材からなる本体布１１が肌に密着した際に、縫着部に肌が接触して痒み等を発生させることはなく、肌に密着した着用感のよいショーツとすることができる。
【００２５】
図４はクロッチ布１５の変形例を示し、背面側端縁１５Ｌ−１の幅方向の中央に山形形状の突出部１５ｅを追加して設けている。即ち、背面側端縁から、左右の突出部１５ａ、１５ｂと中央の突出部１５ｅの３つの突出部を設けている。
前記中央の山形形状の突出部１５ｅの先端は、左右膨出部１８と１９に挟まれた臀裂の下方に位置させ、当該位置においてもショーツの位置ずれを抑制しているため、全体として美しい背面側シルエットを与えることができるようにしている。
【００２６】
図５もクロッチ布１５の変形例を示し、左右の突出部１５ａ，１５ｂを脇線位置まで延在させている。
このように突出部１５ａ、１５ｂを脇線位置まで延在させ、非伸縮性あるいは難伸縮性のクロッチ布の突出部が臀溝に沿って脇線まで配置されることになるため、脚ぐりの背面側全体のズレ上がり防止を図ることができる。
【００２７】
図６もクロッチ布１５の変形例を示し、背面側端縁では左右突出部１５ａ、１６ｂの間を若干円弧形状とし、正面側の端縁も若干円弧形状にしている。
【産業上の利用可能性】
【００２８】
本考案はショーツに関するものであるが、ショーツのトップ部を連続させて設けた肌着、さらには、水着、レオタード等にも適用することができる。
【図面の簡単な説明】
【００２９】
【図１】本考案の実施形態のショーツを示す斜視図である。
【図２】展開状態を示す図面である。
【図３】ショーツの肌側内面を示し、（Ａ）は背面側の図面、（Ｂ）は正面側の図面である。
【図４】クロッチ布の変形例を示す図面である。
【図５】クロッチ布の他の変形例を示す図面である。
【図６】クロッチ布の他の変形例を示す図面である。
【図７】従来例を示し、（Ａ）は斜視図、（Ｂ）はクロッチ布示す図面である。
【図８】他の従来例を示し、（Ａ）は展開図、（Ｂ）は正面側の図面、Ｃ）は背面側の図面である。
【符号の説明】
【００３０】
１０  ショーツ
１１  本体布
１２  正面側部
１３  背面側部
１４  股部
１５  クロッチ布
１５Ｌ−１  背面側端縁
１５Ｌ−２  正面側端縁
１５ａ、１５ｂ  突出部
１８、１９  膨出部
【図１】
0003107714.tif 000003
【図２】
0003107714.tif 000004
【図３】
0003107714.tif 000005
【図４】
0003107714.tif 000006
【図５】
0003107714.tif 000007
【図６】
0003107714.tif 000008
【図７】
0003107714.tif 000009
【図８】
0003107714.tif 000010